(57)【要約】【課題】天井大梁と天井下地材との間の空間の高さを抑えつつ、天井大梁の変形に追従して連結部材が変形することにより、天井大梁の変形が天井下地材及び天井材に伝達されることを抑制又は防止することができる天井面材の支持構造及びユニット建物を得る。【解決手段】天井面材の支持構造は、天井大梁２６の下方に隙間４６を介して設けられた天井下地材３６及び天井材３７と、少なくとも上部が天井大梁２６の側面２６Ａに固定された第１固定部６２と、天井大梁２６の側面２６Ａから水平方向に離間した位置に配置されると共に上端が第１固定部６２の中央部よりも下側に位置しかつ下部が天井下地材３６及び天井材３７を支持する野縁３８又は天井下地材３６に固定された第２固定部６６と、第１固定部６２の下端と第２固定部６６の上端とを連結する変形部６４と、を含む連結部材３４と、を備える。【選択図】図１
2019157593.tif 000002
【特許請求の範囲】
【請求項１】
天井大梁の下方に隙間を介して設けられた天井面材と、
少なくとも上部が前記天井大梁の側面に固定された第１固定部と、前記天井大梁の側面から水平方向に離間した位置に配置されると共に上端が前記第１固定部の中央部よりも下側に位置しかつ下部が前記天井面材を支持する野縁又は前記天井面材に固定された第２固定部と、前記第１固定部の下端と前記第２固定部の上端とを連結する変形部と、を含む連結部材と、
を備える天井面材の支持構造。
【請求項２】
前記第１固定部は、上端から下端まで前記天井大梁の側面に当接している、
請求項１記載の天井面材の支持構造。
【請求項３】
前記第２固定部の下部が前記野縁の側面に固定されており、
前記野縁は、前記天井大梁と前記第２固定部との間に配置されている、
請求項１又は請求項２に記載の天井面材の支持構造。
【請求項４】
前記第１固定部は、上部のみが前記天井大梁の側面に固定されている、
請求項１〜請求項３のいずれか一項に記載の天井面材の支持構造。
【請求項５】
屋根面材と、
上端部が前記屋根面材を支持する束と、
前記束の下端部を束受けを介して支持すると共に、小屋裏の床面材を根太を介して支持する請求項１〜請求項４のいずれか一項に記載された前記天井大梁と、
請求項１〜請求項４のいずれか一項に記載された前記連結部材を介して前記天井大梁に支持された請求項１〜請求項４のいずれか一項に記載された前記天井面材と、
を備えるユニット建物。
【発明の詳細な説明】
【技術分野】
【０００１】
本発明は、天井面材の支持構造及びユニット建物に関する。
【背景技術】
【０００２】
下記特許文献１には、面材への振動の伝達を低減すると共に、施工精度を高めることができる、面材の固定構造が開示されている。この面材の固定構造を構成する下地部材は、上階の支持部材（床根太）の下面に固定される第一固定板部と、下階の天井面材の上面に固定される第二固定板部と、第一固定板部と第二固定板部とを上下方向に連結する連結板部と、第二固定板部から支持部材に近接する位置まで延設されている立上り部と、を含んで構成されている。この下地部材を介して、天井面材が支持部材に支持されている。
【０００３】
上記構成によれば、支持部材と天井面材との間に配置される下地部材の連結板部が弾性変形することにより支持部材の振動を吸収し、天井面材への振動の伝達を低減することができるというものである。
【先行技術文献】
【特許文献】
【０００４】
【特許文献１】特開２０１３−３２６６０号公報
【発明の概要】
【発明が解決しようとする課題】
【０００５】
しかしながら、上記特許文献１に開示された構成では、支持部材の下面とその下方の天井面材の上面とに下地部材が固定されるため、支持部材と天井面材との間に下地部材を設置するための空間が必要である。このため、支持部材の変形（振動）を吸収するために下地部材の連結板部の高さ方向の寸法を十分に確保しようとすると、下地部材を設置するための空間の高さが増大してしまうという問題がある。
【０００６】
また、上記特許文献１に開示された構成を、ユニット建物に適用しようとすると、支持部材としての天井大梁の下面とその下方の天井面材の上面との間に、天井大梁に天井面材を連結するための連結部材を設置するための空間が必要となり、建物ユニットの天井高が制限されるという問題がある。
【０００７】
本発明は上記事実を考慮し、天井大梁と天井面材との間の空間の高さを抑えつつ、天井大梁の変形に追従して連結部材が変形することにより、天井大梁の変形が天井面材に伝達されることを抑制又は防止することができる、天井面材の支持構造及びユニット建物を得ることを目的とする。
【課題を解決するための手段】
【０００８】
第１の態様に係る天井面材の支持構造は、天井大梁の下方に隙間を介して設けられた天井面材と、少なくとも上部が前記天井大梁の側面に固定された第１固定部と、前記天井大梁の側面から水平方向に離間した位置に配置されると共に上端が前記第１固定部の中央部よりも下側に位置しかつ下部が前記天井面材を支持する野縁又は前記天井面材に固定された第２固定部と、前記第１固定部の下端と前記第２固定部の上端とを連結する変形部と、を含む連結部材と、を備える。
【０００９】
第１の態様に係る天井面材の支持構造によれば、天井大梁の下方に隙間を介して天井面材が設けられ、連結部材の第１固定部の少なくとも上部が天井大梁の側面に固定されると共に第２固定部の下部が天井面材を支持する野縁又は天井面材に固定される。連結部材が天井大梁の側方かつ天井面材の上方に配置されるため、天井大梁と天井面材との間に連結部材を設置するための空間を設ける必要がない。このため、天井大梁と天井面材との間の空間の高さを抑えつつ天井面材が連結部材を介して天井大梁に支持される。
【００１０】
また、連結部材の第２固定部は、天井大梁の側面から水平方向に離間した位置に配置されると共に、上端が第１固定部の中央部よりも下側に位置し、かつ下部が天井面材を支持する野縁又は天井面材に固定される。この第２固定部の上端は、変形部により第１固定部の下端と連結される。これにより、荷重により天井大梁が変形した場合には、まず、天井大梁の側面に固定された第１固定部が天井大梁と共に変位し、次いで、第１固定部の下端と連結された変形部の端部が第１固定部の下端と共に変位することにより、変形部が面外変形する。このため、天井大梁と天井面材との間の空間の高さを抑えつつ、地震力、風圧力などにより天井大梁に大きな変形（撓み）が生じた場合でもその変形に追従して連結部材が変形することにより、天井大梁の変形が天井面材に伝達されることを抑制又は防止することができる。
【００１１】
第２の態様に係る天井面材の支持構造は、第１の態様に係る天井面材の支持構造において、前記第１固定部は、上端から下端まで前記天井大梁の側面に当接している。
【００１２】
第２の態様に係る天井面材の支持構造によれば、第１固定部が上端から下端まで天井大梁の側面に当接されている。ところで、天井面材の自重により第２固定部と野縁又は天井面材との固定部位には下向きの力が作用している。この力により、第２固定部の上端と連結された変形部の端部が下向きに変位すると、第２固定部が天井大梁の側面に向かう方向（建物ユニット内側に向かう方向）に変位しようとし、第２固定部と共に天井面材も同じ方向に変位しようとする。ここで、第１固定部の下端が天井大梁の側面に当接されていることにより、第１固定部の下端は建物ユニット内側に向かう方向に変位されない。これにより、建物ユニット内側に向かう方向の連結部材全体としての変位量が低減され、結果として、連結部材に固定された天井面材の変位量が低減される。このため、天井面材の自重による天井面材のずれが低減されて施工精度が高くなる。
【００１３】
第３の態様に係る天井面材の支持構造は、第１の態様又は第２の態様に係る天井面材の支持構造において、前記第２固定部の下部が前記野縁の側面に固定されており、前記野縁は、前記天井大梁と前記第２固定部との間に配置されている。
【００１４】
第３の態様に係る天井面材の支持構造によれば、第２固定部の下部が、天井大梁と第２固定部との間に配置された野縁の側面に固定される。従って、天井面材が自重により建物ユニット内側に向かう方向に変位しようとすると、野縁が天井大梁の側面に当接することにより天井面材の荷重が野縁を介して天井大梁に伝達される。このため、天井面材を支持するために設けられた野縁を利用して天井面材の自重による変位量を低減させることができる。
【００１５】
また、野縁が天井大梁と第２固定部との間に配置されていることにより、第２固定部を野縁に固定するためのビスを、第２固定部に対して建物ユニット外側から内側に向かって打込むことができる。このため、第２固定部に対して内側からビスを打込む場合に比べて、連結部材を野縁に固定するための作業空間を広く確保することが可能であり、作業性が良い。
【００１６】
第４の態様に係る天井面材の支持構造は、第１の態様〜第３の態様のいずれか一の態様に係る天井面材の支持構造において、前記第１固定部は、上部のみが前記天井大梁の側面に固定されている。
【００１７】
第４の態様に係る天井面材の支持構造によれば、第１固定部は上部のみが天井大梁の側面に固定される。上述の通り、天井大梁が上からの荷重等により変形した場合には、天井大梁の変形に追従して連結部材も変形する。このとき、第１固定部の下部は天井大梁の側面に固定されていないため、天井大梁の側面から離れる方向にも変位する。従って、垂直方向のみならず水平方向にも第１固定部の変位が生じ、この第１固定部の変位が変形部を介して第２固定部に伝達され、連結部材全体としての変形量が増すことになる。このため、連結部材がより効果的に天井大梁の変形に追従して変形し、天井大梁の変形が天井面材に伝達されることを抑制又は防止することができる。
【００１８】
第５の態様に係るユニット建物は、屋根面材と、上端部が前記屋根面材を支持する束と、前記束の下端部を束受けを介して支持すると共に、小屋裏の床面材を根太を介して支持する請求項１〜請求項４のいずれか一項に記載された前記天井大梁と、請求項１〜請求項４のいずれか一項に記載された前記連結部材を介して前記天井大梁に支持された請求項１〜請求項４のいずれか一項に記載された前記天井面材と、を備える。
【００１９】
第５の態様に係るユニット建物によれば、上端部が屋根面材を支持する束の下端部が、束受けを介して天井大梁に支持される。また、小屋裏の床面材が根太を介して天井大梁に支持される。この天井大梁には、連結部材によって天井面材が固定される。ここで、屋根面材には、風圧力や積雪による圧力など種々の荷重が作用する。従って、屋根面材を支持する束には、屋根面材の自重に加え、屋根面材が受ける圧力による荷重が入力される。これらの荷重は、束を介して天井大梁に伝達される。天井面材が、第１の態様〜第４の態様のいずれか一の態様に係る連結部材によって天井大梁に固定されることにより、天井大梁に作用する種々の荷重による変形が、天井面材に伝達されることを抑制又は防止することができる。このため、天井面材の下の天井高を確保しつつ、天井大梁の変形が天井面材に伝達されることを抑制又は防止することが可能である。
【発明の効果】
【００２０】
以上説明したように、本発明に係る天井面材の支持構造及びユニット建物は、天井大梁と天井面材との間の空間の高さを抑えつつ、天井大梁の変形に追従して連結部材が変形することにより、天井大梁の変形が天井面材に伝達されることを抑制又は防止することができるという優れた効果を有する。
【図面の簡単な説明】
【００２１】
【図１】第１実施形態に係る天井面材の支持構造の要部を示す縦断面図である。
【図２】図１に示される天井面材の支持構造の要部を束が見える位置で示した縦断面図である。
【図３】図１に示される天井面材の支持構造の要部を別の方角から示す概略斜視図である。
【図４】図１に示される天井面材の支持構造が適用されたユニット建物の一部を示す概略構成図である。
【図５】天井大梁の変形に追従して図１に示される連結部材が変形した状態を説明する縦断面図である。
【図６】天井面材の自重が作用した状態における図１に示される天井面材の支持構造の作用を説明する縦断面図である。
【図７】第１実施形態の変形例に係る天井面材の支持構造を示す縦断面図である。
【図８】第２実施形態に係る天井面材の支持構造の要部を示す縦断面図である。
【図９】図８に示される天井面材の支持構造の要部を別の方角から示す概略斜視図である。
【図１０】第２実施形態の変形例に係る天井面材の支持構造を示す縦断面図である。
【図１１】第１実施形態及び第２実施形態とは異なる変形部及び第２固定部の例を示す縦断面図である。
【発明を実施するための形態】
【００２２】
〔第１実施形態〕
以下、図１〜図７を用いて、本発明に係る天井面材の支持構造の第１実施形態について説明する。
【００２３】
＜天井面材の支持構造が適用されたユニット建物１０の構成＞
図４には、本実施形態に係る天井面材の支持構造が適用されたユニット建物１０の一部をユニット建物１０の妻側から見た概略構成図が示されている。この図に示されるように、ユニット建物１０は、図示しない基礎上に据え付けられた複数の建物ユニット１２により構成された１階部分１４と、１階部分１４の上に据え付けられた複数の建物ユニット１６により構成された２階部分１８と、２階部分１８の上に設置されて小屋裏２０を構成する屋根部２２と、を含んで構成されている。
【００２４】
１階部分１４の建物ユニット１２と２階部分１８の建物ユニット１６とは、共に、ユニット建物１０の妻方向が長手方向とされており、ユニット建物１０の桁方向に複数の建物ユニット１２、１６がそれぞれ並列に配置されている。また、図示しない複数の建物ユニットが妻方向にも配置されてユニット建物１０の躯体が構成されている。
【００２５】
建物ユニット１２、１６は、直方体の箱型ユニットであり、四隅に立設された４本の柱２４と、これらの柱２４の上端部同士を連結する溝形鋼で構成された長短二種類の天井大梁２６、２８と、長辺側の天井大梁２６間に所定の間隔で配置された図示しない複数の天井小梁と、柱２４の下端部同士を連結する溝形鋼で構成された長短二種類の床大梁３０、３２と、長辺側の床大梁３０間に所定の間隔で配置された図示しない複数の床小梁と、を含んで構成されている。
【００２６】
図１及び図２に示されるように、２階部分１８を構成すると共に長辺側が隣合う２つの建物ユニット１６の互いに対向する天井大梁２６の側面２６Ａには、連結部材３４がそれぞれ固定されている。この連結部材３４は、天井大梁２６の長手方向に沿って所定の間隔（例えば１０００ｍｍ）で複数個配置されている。天井大梁２６の下方には「天井面材」としての天井下地材３６及び天井材３７が配置されており、野縁３８及び野縁３８に固定された連結部材３４を介して天井大梁２６に支持されている。
【００２７】
図４に戻ると、屋根部２２は、屋根面材（野地板）４０と、上端部が屋根面材４０を支持する束４２と、を備えており、屋根面材４０下に小屋裏２０を構成している。束４２は、下端部が２階部分１８の建物ユニット１６の天井大梁２６に束受け４４（図２を参照）を介して支持されている。
【００２８】
＜第１実施形態の要部構成＞
図１及び図２には、図４に示されるユニット建物１０の２階部分１８の一部を構成する２つの建物ユニット１６の天井大梁２６の側面２６Ａが互いに対向する部分を、天井大梁２６の長手方向に対して垂直に切断した縦断面図が示されている。図２は、基本的には図１に示される縦断面図と同じであるが、束４２が見える位置で天井面材の支持構造を示している点が異なる。図３は、図１及び図２に示される天井面材の支持構造の要部を、天井下地材３６及び天井材３７を省略して示した概略斜視図である。
【００２９】
図１に示されるように、天井面材の支持構造は、２階部分１８を構成する建物ユニット１６の天井大梁２６の下方に隙間４６を介して設けられた天井下地材３６及び天井材３７と、天井大梁２６の側方かつ天井下地材３６の上方に配置された連結部材３４と、を含んで構成されている。
【００３０】
天井大梁２６は、上フランジ４８と、上フランジ４８の一端から垂下されたウェブ５０と、ウェブ５０の下端から上フランジ４８と平行かつ同一方向に延出された下フランジ５２とを備えており、建物ユニット１６の内側に向かって開放された溝形鋼として構成されている。２つの建物ユニット１６の長辺側が互いに対向する部分においては、それぞれの建物ユニット１６の天井大梁２６の側面２６Ａを構成するウェブ５０の側面が互いに対向している。
【００３１】
天井大梁２６の上フランジ４８の上面は、天井大梁２６の長手方向に沿って延在する根太５４を介して小屋裏２０の「床面材」としての床下地材５６及び床材６０を支持している。床下地材５６は、ビス５８により根太５４の上面に固定されており、床下地材５６の上面には、図示しないビスにより床材６０が固定されている。
【００３２】
図１〜図３に示されるように、連結部材３４は、上端から下端まで天井大梁２６の側面２６Ａに当接されている板状の第１固定部６２と、第１固定部６２の下端から略水平に天井大梁２６の側面２６Ａから離れる方向に延出される板状の変形部６４と、変形部６４の端部から垂下されている板状の第２固定部６６と、を含んで構成されている。
【００３３】
連結部材３４の第１固定部６２の上部は、ボルト６８及びナット７０によりウェブ５０の上部に締結固定されている。また、第２固定部６６の下部は、第２固定部６６と天井大梁２６の側面２６Ａとの間に配置された野縁３８の側面３８Ａに２本のビス７２により固定されている。野縁３８の下面には、天井下地材３６がビス７４により固定されており、天井下地材３６の下面には、図示しないビスにより天井材３７が固定されている。下フランジ５２の下面と、天井下地材３６の上面との間には、隙間４６が設けられている。
【００３４】
連結部材３４は、一例として、幅が約６０ｍｍ、高さが約２００ｍｍ、奥行きが約３０ｍｍとして構成されている（図３に、幅、高さ、奥行きがそれぞれＷ、Ｈ、Ｄとして示される）。また、連結部材３４の高さ方向における変形部６４の位置は、第１固定部６２が天井大梁２６の側面２６Ａにボルト６８及びナット７０により固定されている位置と、第２固定部６６が野縁３８の側面にビス７２により固定されている位置との略中間地点に設定されている。
【００３５】
図２に示されるように、束４２が配置される箇所においては、２つの建物ユニット１６の天井大梁２６の上フランジ４８の上面の間に束受け４４が架け渡され、それぞれの上フランジ４８の上面にボルト７８及びナット８０により固定されている。束受け４４の上面には、束４２の下端部が接合されている。なお、図２では、天井大梁２６の長手方向において束受け４４及び束４２が配置されている位置に連結部材３４が固定されているものとして説明したが、連結部材３４が所定の間隔で配置されることにより連結部材３４の固定位置と束受け４４及び束４２の位置とが一致しないことがあってもよい。また、第１実施形態においては連結部材３４を配置する所定の間隔は１０００ｍｍであるが、天井大梁２６の長さ等に応じて他の値としてもよい。
【００３６】
＜作用及び効果＞
次に、第１実施形態に係る天井面材の支持構造及びユニット建物１０の作用及び効果について説明する。
【００３７】
本実施形態に係る天井面材の支持構造では、図１及び図２に示されるように、天井大梁２６の下方に隙間４６を介して天井下地材３６及び天井材３７が設けられる。この連結部材３４の第１固定部６２の上部が天井大梁２６の側面２６Ａに固定されると共に、第２固定部６６の下部が天井下地材３６及び天井材３７を支持する野縁３８に固定される。連結部材３４が天井大梁２６の側方かつ天井下地材３６の上方に配置されるため、天井大梁２６と天井下地材３６との間に連結部材３４を設置するための空間を設ける必要がない。このため、僅かな隙間４６を設けるだけで連結部材３４を介して天井大梁２６に天井下地材３６及び天井材３７が支持される。
【００３８】
また、本実施形態に係る天井面材の支持構造では、連結部材３４の第２固定部６６は、天井大梁２６の側面２６Ａから水平方向に離間した位置に配置されると共に、下部が天井下地材３６を支持する野縁３８に固定される。この第２固定部６６の上端は、略水平に構成された変形部６４により第１固定部６２の下端と連結される。これにより、荷重がかかり天井大梁２６が変形した場合には、図５に示されるように、まず天井大梁２６の側面２６Ａに固定された第１固定部６２が天井大梁と共に変位し、次いで、第１固定部６２の下端と連結された変形部６４の端部が第１固定部６２の下端と共に変位することにより、変形部６４が面外変形する。このため、天井大梁２６と天井下地材３６との間の隙間４６の高さを抑えつつ、風圧力、積雪による圧力や地震力などにより天井大梁２６に大きな変形が生じた場合でもその変形に追従して連結部材３４が変形することにより、天井大梁２６の変形が天井下地材３６及び天井材３７に伝達されることを抑制又は防止することができる。言い換えると、連結部材３４を変形させることで、天井大梁２６の変形を吸収することができる。結果として、天井下地材３６及び天井材３７が下がることによるクロスの割れ等を抑制又は防止することができる。
【００３９】
また、本実施形態に係る天井面材の支持構造では、第１固定部６２が上端から下端まで天井大梁２６の側面２６Ａに当接されている。ところで、図６に示されるように、天井下地材３６及び天井材３７の自重により第２固定部６６と野縁３８との固定部位には下向きの力Ｐが作用している。この力Ｐにより、第２固定部６６の上端に連結された変形部６４の端部が下向きに変位すると（二点鎖線で示される）、第２固定部６６が建物ユニット１６内側に向かう方向（矢印Ａ方向）に変位しようとし、第２固定部６６と共に天井下地材３６及び天井材３７も同じ方向（矢印Ａ方向）に変位しようとする。ここで、第１固定部６２の下端が天井大梁２６の側面２６Ａに当接されていることにより、第１固定部６２の下端は建物ユニット１６内側に向かう方向（矢印Ａ方向）に変位されない。これにより、連結部材３４の変位量が低減され、結果として、連結部材３４に固定された天井下地材３６及び天井材３７の変位量が低減される。このため、天井下地材３６及び天井材３７の自重による天井下地材３６及び天井材３７のずれが低減されて施工精度が高くなる。
【００４０】
また、本実施形態に係る天井面材の支持構造では、図６に示されるように、第２固定部６６の下部が、天井大梁２６と第２固定部６６との間に配置された野縁３８の天井大梁２６とは反対側の側面３８Ａに固定される。従って、上述のように天井下地材３６及び天井材３７が自重により建物ユニット１６内側に向かう方向（矢印Ａ方向）に変位しようとすると、野縁３８の側面３８Ｂが天井大梁２６の側面２６Ａに当接することにより天井下地材３６及び天井材３７の荷重が野縁３８を介して天井大梁２６に伝達される。このため、天井下地材３６及び天井材３７を支持するために設けられた野縁３８を利用して天井下地材３６及び天井材３７の自重による変位量を低減させることができる。
【００４１】
また、野縁３８が天井大梁２６と第２固定部６６との間に配置されていることにより、第２固定部６６を野縁３８に固定するためのビス７２を、建物ユニット１６外側から内側に向かって打込むことができる。このため、第２固定部６６に対して内側からビス７２を打込む場合に比べて、連結部材３４を野縁３８に固定するための作業空間を広く確保することが可能であり、作業性が良い。
【００４２】
また、本実施形態に係る天井面材の支持構造では、第１固定部６２は上部のみが天井大梁２６の側面２６Ａに固定される。図５に示されるように、天井大梁２６が上からの荷重等により変形した場合には、天井大梁２６の変形に追従して連結部材３４も変形する（二点鎖線で示される）。このとき、第１固定部６２の下部は天井大梁２６の側面２６Ａに固定されていないため、天井大梁２６の側面２６Ａから離れる方向（矢印Ｂ方向）にも変位する。従って、垂直方向のみならず水平方向にも第１固定部６２の変位が生じ、この第１固定部６２の変位が変形部６４を介して第２固定部６６に伝達され、連結部材３４全体としての変形量が増すことになる。このため、連結部材３４がより効果的に天井大梁２６の変形に追従して変形し、天井大梁２６の変形が天井下地材３６及び天井材３７に伝達されることを抑制又は防止ことができる。
【００４３】
また、本実施形態に係るユニット建物１０では、図２に示されるように、上端部が屋根面材４０を支持する束４２の下端部が束受け４４を介して天井大梁２６に支持される。また、小屋裏２０の床下地材５６及び床材６０が根太５４を介して天井大梁２６に支持される。この天井大梁２６には、連結部材３４を介して天井下地材３６及び天井材３７が支持される。ここで、図４に示されるように、屋根面材４０には、風圧力や積雪による圧力など種々の荷重Ｑが作用する。従って、屋根面材４０を支持する束４２には、屋根面材４０の自重に加え、屋根面材４０が受ける荷重Ｑが入力される。これらの荷重は、束４２を介して天井大梁２６に伝達される（矢印Ｒで示される）。また、天井大梁２６には、小屋裏２０の床材６０（図１及び図２参照）上にいる居住者が歩行すること等により生じる振動等も伝達される（矢印Ｓで示される）。これらの荷重Ｒ・振動Ｓが天井大梁２６に伝達されると、天井大梁２６は撓む（二点鎖線で示される）。小屋裏２０の床材６０上にいる居住者の歩行等により生じる振動Ｓのみであれば、従来技術の面材の固定構造により吸収することも可能であるが、上述した荷重Ｒや地震力により天井大梁２６に大きな変形（撓み）が生じた場合には、従来技術の面材の固定構造では変形を吸収できないか、仮に変形を吸収しようとすると天井高が極端に低くなるという問題がある。本実施形態においては、天井下地材３６及び天井材３７が、第１実施形態に係る連結部材３４を介して天井大梁２６に支持されることにより、天井材３７の下の天井高を確保しつつ、天井大梁２６の変形が天井下地材３６及び天井材３７に伝達されることを抑制又は防止することができる。
【００４４】
＜第１実施形態の変形例＞
図７には、第１実施形態の変形例に係る天井面材の支持構造の縦断面図が示されている。なお、図７では一方の建物ユニット１６のみが示され、他方の建物ユニット１６の図示は省略されている。また、前述した第１実施形態と同一構成部分については、同一番号を付してその説明を省略する。
【００４５】
第１実施形態の変形例に係る天井面材の支持構造では、野縁９０が、第２固定部６６に対して天井大梁２６とは反対側に配置されており、野縁９０の側面９０Ａに第２固定部６６がビス９２により固定されている。
【００４６】
上記変形例によれば、天井大梁２６と野縁９０との間が離間されているため、例えば配線・配管等の他部材の配設のために天井大梁２６と野縁９０との間にスペースを要する場合に好適である。
【００４７】
なお、本実施形態においては、第２固定部６６を野縁３８、９０に固定する２本のビス７２、９２は、野縁３８、９０に水平に打込まれているが、２つの建物ユニット１６の天井大梁２６間の距離が近い場合などには、施工の都合上、斜め上向きに打込まれてもよいし、ビス７２、９２の数は２本でなくともよい。
【００４８】
また、図１及び図２では、２つの建物ユニット１６の天井大梁２６間の距離が短い例が示されているが、２つの建物ユニット１６の間に距離を設けて（例えば２５００ｍｍ）設置してもよい。
【００４９】
〔第２実施形態〕
以下、図８〜図１０を用いて、本発明に係る天井面材の支持構造の第２実施形態について説明する。なお、これらの図では、一方の建物ユニット１６の天井面材の支持構造のみが示され、他方の建物ユニット１６の天井面材の支持構造の図示は省略されている。また、前述した第１実施形態と同一構成部分については、同一番号を付してその説明を省略する。
【００５０】
図８及び図９に示されるように、この第２実施形態では、連結部材１００の第２固定部１０２の形状及び構造に特徴がある。
【００５１】
具体的に説明すると、第２固定部１０２は、変形部６４の端部から垂下されている縦壁部１０４と、縦壁部１０４の下端から水平方向に延出されると共に天井下地材３６の上面に固定される延出部１０６と、を含んで構成されている。変形部６４の高さ方向の位置は、第１固定部６２が天井大梁２６の側面２６Ａにボルト６８及びナット７０により固定されている位置と、第２固定部１０２の延出部１０６が天井下地材３６の上面にビス１０８により固定されている位置との略中間地点に設定されている。
【００５２】
＜作用及び効果＞
次に、第２実施形態に係る天井面材の支持構造及びユニット建物１０の作用及び効果について説明する。
【００５３】
上記構成によっても、前述した第１実施形態の作用・効果のうち、第２固定部６６の下部が野縁３８に固定されることによる作用・効果を除いて、同様の作用・効果が得られる。加えて、第２実施形態に係る天井面材の支持構造及びユニット建物１０では、第１固定部６２が天井大梁２６の側面２６Ａに固定されている位置と第２固定部１０２の延出部１０６が天井下地材３６の上面に固定されている位置とが連結部材１００の上端と下端とにそれぞれ位置するため、連結部材１００の変形可能な領域を大きく確保することができ、天井大梁２６の変形が天井下地材３６及び天井材３７に伝達されることを効果的に抑制又は防止することができる。
【００５４】
また、第２固定部１０２の延出部１０６が他の部材を介さずに天井下地材３６の上面に直接固定されることにより、部材点数及び工数を削減することができる。
【００５５】
＜第２実施形態の変形例＞
図１０（Ａ）〜図１０（Ｃ）には、第２実施形態の第１変形例〜第３変形例に係る天井面材の支持構造の縦断面図がそれぞれ示されている。なお、前述した第２実施形態と同一構成部分については、同一番号を付してその説明を省略する。
【００５６】
第２実施形態の第１変形例〜第３変形例に係る天井面材の支持構造では、連結部材１１０、１１２、１１４の変形部１１６、１１８、１２０は、いずれも第１固定部６２の下端から略水平に延出されていない点が上述の第２実施形態の変形部６４と異なっている。具体的には、図１０（Ａ）に示される第１変形例に係る変形部１１６は、平坦な板状部材として構成されると共に、第１固定部６２の下端から斜め上向きに延出されている。
【００５７】
また、図１０（Ｂ）に示される第２変形例に係る変形部１１８は、平坦な板状部材として構成されると共に、第１固定部６２の下端から斜め下向きに延出されている。
【００５８】
また、図１０（Ｃ）に示される第３変形例に係る変形部１２０は、曲面により構成され、断面が谷状かつ半円状の谷状部１２０Ａと、断面が山状かつ半円状の山状部１２０Ｂとを備えている。
【００５９】
上記第１変形例〜第３変形例によれば、変形部１１６、１１８、１２０の長さが第１固定部６２と第２固定部１０２の縦壁部１０４との距離よりも長く設定されているため、荷重により天井大梁２６が変形した場合に生じる変形部１１６、１１８、１２０の変形量が大きくなり、天井大梁２６の変形が天井下地材３６及び天井材３７に伝達されることを効果的に抑制又は防止することができる。
【００６０】
〔上記実施形態の補足説明〕
上記第１及び第２実施形態では、第１固定部６２が建物ユニット１６の天井大梁２６の側面２６Ａに固定される構成としたが、図示しない天井小梁の側面に固定してもよい。また、第１固定部６２が固定される天井大梁２６の断面形状は、コ字状の溝形鋼として説明したが、これに限られるものではない。例えば、天井大梁２６又は天井小梁の断面形状は、Ｃ字状、矩形状等であってもよい。
【００６１】
また、第１実施形態においては、第２固定部６６を垂直方向に延在する板状部材として構成し（図１参照）、第２実施形態においては、第２固定部１０２が縦壁部１０４を備える構成とし（図７参照）、いずれも垂直方向の部材を含むように構成したが、これらに限られるものではない。例えば、図１１（Ａ）及び図１１（Ｂ）に示されるように、連結部材１２８の第２固定部１３０が、水平方向に延在する板状部材のみによって構成され、天井下地材３６又は野縁１３２の上面に固定される構成としてもよい。この場合、変形部１３４は、第１固定部６２の下端から斜め下向きに延出される。
【００６２】
また、上記第１及び第２実施形態では、第１固定部６２は、上部のみが天井大梁２６の側面２６Ａにボルト６８及びナット７０により固定される構成としたが、下部も同様に天井大梁２６の側面２６Ａに固定してもよい。
【００６３】
また、上記第２実施形態の変形例として説明した変形部１１６、１１８、１２０を、第１実施形態に係る天井面材の支持構造に適用してもよい。
【００６４】
また、上記第１及び第２実施形態では天井下地材３６は面材として構成されているが、木枠等の非面材により構成されていてもよい。
【符号の説明】
【００６５】
１０    ユニット建物
２０    小屋裏
２６    天井大梁
２６Ａ  天井大梁の側面
３４、１００、１１０、１１２、１１４、１２８    連結部材
３６    天井下地材（天井面材）
３７    天井材（天井面材）
３８、９０、１３２    野縁
３８Ａ  野縁の側面
４０    屋根面材
４２    束
４４    束受け
４６    隙間
５４    根太
５６    床下地材（床面材）
６０    床材（床面材）
６２    第１固定部
６４、１１６、１１８、１２０、１３４    変形部
６６、１０２、１３０    第２固定部
【図１】
2019157593.tif 000003
【図２】
2019157593.tif 000004
【図３】
2019157593.tif 000005
【図４】
2019157593.tif 000006
【図５】
2019157593.tif 000007
【図６】
2019157593.tif 000008
【図７】
2019157593.tif 000009
【図８】
2019157593.tif 000010
【図９】
2019157593.tif 000011
【図１０】
2019157593.tif 000012
【図１１】
2019157593.tif 000013